(57)【要約】【課題】  集団旅行などにおける集合時や移動中であっても、点呼等を行うことなく容易に人員確認することを可能とする。【解決手段】  無線携帯端末１０と一又は二以上の無線ＩＣタグ２０を用いて人員確認を行う引率管理システムであって、それぞれ移動者ごとに携帯された無線ＩＣタグ２０が、所定の信号を発信し、無線携帯端末１０が、移動者ごとの個人情報及び各個人情報に対応付けられた信号を記憶する記憶手段１５と、無線ＩＣタグから信号を受信する受信手段１１と、受信できた信号にもとづき記憶手段１５を検索して個人情報を特定し、特定できた個人情報に係る移動者は存在し、記憶手段に記憶されており、かつ、特定できない個人情報に係る移動者は存在しないと判定する信号判定手段１２と、この判定結果を出力する存否出力手段１３とを備えた引率管理システム。【選択図】  図１
2006054787.tif 000002
【特許請求の範囲】
【請求項１】
無線携帯端末と一又は二以上の無線ＩＣタグを用いて人員確認を行う引率管理システムであって、
それぞれ移動者ごとに携帯された前記無線ＩＣタグが、所定の信号を発信し、
前記無線携帯端末が、移動者ごとの個人情報及び各個人情報に対応付けられた信号を記憶する記憶手段と、前記無線ＩＣタグから前記信号を受信する受信手段と、受信できた信号にもとづき前記記憶手段を検索して個人情報を特定し、特定できた個人情報に係る移動者は存在し、前記記憶手段に記憶されており、かつ、特定できない個人情報に係る移動者は存在しないと判定する信号判定手段と、この判定結果を出力する存否出力手段とを備えた
ことを特徴とする引率管理システム。
【請求項２】
前記無線携帯端末が、存在しないと判定された移動者に係る前記個人情報を出力する個人情報出力手段を備えたことを特徴とする請求項１記載の引率管理システム。
【請求項３】
前記無線携帯端末が、存在しないと判定された移動者に係る前記個人情報における連絡先に、この判定結果を通知する電子メールを送信するメール配信手段を備えたことを特徴とする請求項１又は２記載の引率管理システム。
【請求項４】
一又は二以上の無線ＩＣタグからの信号を受信して人員確認を行う引率管理端末であって、
移動者ごとの個人情報及び各個人情報に対応付けられた信号を記憶する記憶手段と、
移動者ごとに携帯された無線ＩＣタグから信号を受信する受信手段と、
受信できた信号にもとづき前記記憶手段を検索して個人情報を特定し、特定できた個人情報に係る移動者は存在し、前記記憶手段に記憶されており、かつ、特定できない個人情報に係る移動者は存在しないと判定する信号判定手段と、
この判定結果を出力する存否出力手段と、を備えた
ことを特徴とする引率管理端末。
【請求項５】
請求項４に記載の引率管理端末が、存在しないと判定された移動者に係る前記個人情報を出力する個人情報出力手段を備えたことを特徴とする引率管理端末。
【請求項６】
無線携帯端末に、一又は二以上の無線ＩＣタグからの信号を受信させて人員確認を行わせる引率管理プログラムであって、
前記無線携帯端末を、
移動者ごとの個人情報及び各個人情報に対応付けられた信号を記憶する記憶手段、
移動者ごとに携帯された無線ＩＣタグから信号を受信する受信手段、
受信できた信号にもとづき前記記憶手段を検索して個人情報を特定し、特定できた個人情報に係る移動者は存在し、前記記憶手段に記憶されており、かつ、特定できない個人情報に係る移動者は存在しないと判定する信号判定手段、
この判定結果を出力する存否出力手段
として機能させるための引率管理プログラム。
【請求項７】
移動者ごとの個人情報及び各個人情報に対応付けられた信号を記憶する記憶手段を備えた無線携帯端末と一又は二以上の無線ＩＣタグを用いて人員確認を行う引率管理方法であって、
それぞれ移動者ごとに携帯された前記無線ＩＣタグが、所定の信号を発信し、
前記無線携帯端末が、前記無線ＩＣタグから前記信号を受信し、受信できた信号にもとづき前記記憶手段を検索して個人情報を特定するとともに、特定できた個人情報に係る移動者は存在し、前記記憶手段に記憶されており、かつ、特定できない個人情報に係る移動者は存在しないと判定し、この判定結果を出力する
ことを特徴とする引率管理方法。
【発明の詳細な説明】
【技術分野】
【０００１】
本発明は、集団旅行などにおいて、集合時や移動中に人員確認を行うにあたり、無線ＩＣタグと無線携帯端末を用いて点呼等を行うことなく容易に確認可能とする引率管理システム、引率管理端末、引率管理プログラム、及び引率管理方法に関する。
【背景技術】
【０００２】
従来、集団旅行などにおいて、集合時に全員が集合しているがどうかは、一般的に点呼を行うことによって確認されていた。また、その移動中においても、はぐれた者がいないか等を確認するためには、やはり点呼などにより人数確認を行う必要があった。
しかし、このような点呼には手間がかかるという問題があった。また、特に集団の規模が大きい場合には、極めて煩雑で長時間を要するものになってしまうという問題があった。
【０００３】
ここで、特許文献１に記載の乗物用乗降管理システムでは、乗客が観光バスに乗っているかどうかを確認するため、乗客に無線タグを持たせ、観光バスに、バス内の無線タグを検知するための第１アンテナと、バスの外の無線タグを検知するための第２アンテナを備える構成としてある。
これによって、乗客の人員確認をスムーズかつ正確に行うことが可能となっている。
【０００４】
【特許文献１】特開平１１−０７８６５３号公報
【発明の開示】
【発明が解決しようとする課題】
【０００５】
しかしながら、このような従来技術では、観光バスなどの乗物を利用した集団旅行において、人員確認を容易に行うことができるものの、徒歩を中心とした旅行などには適用することができないという問題があった。また、その構成上、飛行機や列車などを利用した旅行に適するものではなく、様々な乗物を利用した集団旅行において、適切に人員確認を行うことのできるものではなかった。
【０００６】
本発明は、上記の事情にかんがみなされたものであり、無線携帯端末と無線ＩＣタグを用いて、集団旅行などにおける集合時や移動中であっても、点呼等を行うことなく容易に人員確認することの可能な引率管理システム、引率管理端末、引率管理プログラム、及び引率管理方法の提供を目的とする。
【課題を解決するための手段】
【０００７】
上記目的を達成するため、本発明の引率管理システムは、無線携帯端末と一又は二以上の無線ＩＣタグを用いて人員確認を行う引率管理システムであって、それぞれ移動者ごとに携帯された無線ＩＣタグが、所定の信号を発信し、無線携帯端末が、移動者ごとの個人情報及び各個人情報に対応付けられた信号を記憶する記憶手段と、無線ＩＣタグから信号を受信する受信手段と、受信できた信号にもとづき記憶手段を検索して個人情報を特定し、特定できた個人情報に係る移動者は存在し、記憶手段に記憶されており、かつ、特定できない個人情報に係る移動者は存在しないと判定する信号判定手段と、この判定結果を出力する存否出力手段とを備えた構成としてある。
【０００８】
引率管理システムをこのような構成にすれば、引率者は、点呼などを行うことなく、引率している移動者が全員揃っているかどうかを簡単に確認することができる。
このため、大人数の集団旅行などにおける引率であっても、引率者は旅行者の確認を容易に行うことが可能となる。
なお、ここでいう「存在する」「存在しない」とは、移動者が、引率者の無線携帯端末によって、移動者の無線ＩＣタグからの信号を受信することの可能な範囲内に、存在するかどうかを意味するものである。
【０００９】
また、本発明の引率管理システムは、無線携帯端末が、存在しないと判定された移動者に係る個人情報を出力する個人情報出力手段を備えた構成としてある。
引率管理システムをこのような構成にすれば、はぐれた移動者などがいても、即座にその移動者の個人情報を参照することができる。このため、例えば緊急時であっても、迅速にその移動者と連絡を取ることが可能となる。
【００１０】
また、本発明の引率管理システムは、無線携帯端末が、存在しないと判定された移動者に係る個人情報における連絡先に、この判定結果を通知する電子メールを送信するメール配信手段を備えた構成としてある。
引率管理システムをこのような構成にすれば、はぐれた移動者などの携帯電話等に、引率者から離れていることを連絡するためのメールを自動的に送信することができる。
このため、大人数の集団旅行などを引率する場合であって、揃っていない移動者が多数いるような場合でも、引率者は迅速にその移動者に連絡を取ることが可能となる。
【００１１】
また、本発明の引率管理端末は、一又は二以上の無線ＩＣタグからの信号を受信して人員確認を行う引率管理端末であって、移動者ごとの個人情報及び各個人情報に対応付けられた信号を記憶する記憶手段と、移動者ごとに携帯された無線ＩＣタグから信号を受信する受信手段と、受信できた信号にもとづき記憶手段を検索して個人情報を特定し、特定できた個人情報に係る移動者は存在し、記憶手段に記憶されており、かつ、特定できない個人情報に係る移動者は存在しないと判定する信号判定手段と、この判定結果を出力する存否出力手段とを備えた構成としてある。
引率管理端末をこのような構成にすれば、無線ＩＣタグからの信号を受信して、移動者が全員揃っているかどうかを容易に判定することができる。
このため、引率者の手間を大きく低減することが可能となる。
【００１２】
また、本発明の引率管理端末は、存在しないと判定された移動者に係る個人情報を出力する個人情報出力手段を備えた構成としてある。
引率管理端末をこのような構成にすれば、移動者が揃っていない場合には、その移動者の個人情報を自動的に表示することができる。このため、引率者は、緊急時であっても、その移動者に迅速に連絡を取ることが可能となる。
【００１３】
また、本発明の引率管理プログラムは、無線携帯端末に、一又は二以上の無線ＩＣタグからの信号を受信させて人員確認を行わせる引率管理プログラムであって、無線携帯端末を、移動者ごとの個人情報及び各個人情報に対応付けられた信号を記憶する記憶手段、移動者ごとに携帯された無線ＩＣタグから信号を受信する受信手段、受信できた信号にもとづき記憶手段を検索して個人情報を特定し、特定できた個人情報に係る移動者は存在し、記憶手段に記憶されており、かつ、特定できない個人情報に係る移動者は存在しないと判定する信号判定手段、この判定結果を出力する存否出力手段として機能させる構成としてある。
【００１４】
引率管理プログラムをこのような構成にすれば、無線携帯端末に無線ＩＣタグからの信号を受信させるとともに、その信号にもとづいて、移動者が全員揃っているかどうかを判定させることができる。
このため、引率者は、移動者が全員揃っているかどうかを確認するために点呼等を行う必要がなく、その負荷が大きく低減されることとなる。
【００１５】
また、本発明の引率管理方法は、移動者ごとの個人情報及び各個人情報に対応付けられた信号を記憶する記憶手段を備えた無線携帯端末と一又は二以上の無線ＩＣタグを用いて人員確認を行う引率管理方法であって、それぞれ移動者ごとに携帯された無線ＩＣタグが、所定の信号を発信し、無線携帯端末が、無線ＩＣタグから信号を受信し、受信できた信号にもとづき記憶手段を検索して個人情報を特定するとともに、特定できた個人情報に係る移動者は存在し、記憶手段に記憶されており、かつ、特定できない個人情報に係る移動者は存在しないと判定し、この判定結果を出力する方法としてある。
引率管理方法をこのような方法にすれば、引率者は、移動者の位置を無線携帯端末を用いて常に把握することができるため、点呼等を行わなくても、全員を適切に引率することが可能となる。
【発明の効果】
【００１６】
本発明によれば、引率者は、点呼などを行うことなく、引率している移動者が全員揃っているかどうかを簡単に確認することができる。
また、はぐれた移動者などがいても、即座にその移動者の個人情報を参照して連絡を取ることができる。
さらに、はぐれた移動者などの携帯電話等に、引率者から離れていることを連絡するためのメールを自動的に送信することもできる。
このため、大人数による集団旅行などにおいても、引率者は、全員を適切に引率することが可能となる。
【発明を実施するための最良の形態】
【００１７】
以下、本発明に係る引率管理システムの好ましい実施形態について、図面を参照しつつ説明する。
なお、以下の実施形態に示す本発明の引率管理システムは、プログラムに制御されたコンピュータにより動作するようになっている。コンピュータのＣＰＵは、プログラムにもとづいてコンピュータの各構成要素に指令を送り、引率管理端末の動作に必要となる所定の処理、例えば、無線ＩＣタグからの信号の受信処理、受信した信号の判定処理、存否出力処理、個人情報出力処理等を行わせる。このように、本発明の引率管理システムにおける各処理，動作は、プログラムとコンピュータとが協働した具体的手段により実現できるものである。
【００１８】
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ，磁気ディスク，光ディスク、その他任意のコンピュータで読取り可能な任意の記録手段により構成できる。
【００１９】
［第一実施形態］
まず、本発明の第一実施形態の構成について、図１を参照して説明する。同図は、本実施形態の引率管理システムの構成を示すブロック図である。以下の実施形態では、集団旅行における引率管理システムの例について説明する。
図１に示すように、本実施形態の引率管理システムは、引率者１により携帯される無線携帯端末１０，旅行者２により携帯される無線ＩＣタグ２０，旅行会社端末３０に備えられた旅行会社端末３０を有している。
【００２０】
無線携帯端末１０は、引率者１により使用される引率管理端末であり、例えば携帯電話、ＰＨＳ、ＰＤＡ等とすることができる。
この無線携帯端末１０は、インターネットに接続することができ、これを介して旅行会社３における旅行会社端末３０などから本発明に係る引率管理プログラムなどのアプリケーションプログラム，データ等をダウンロードし、インストールして実行することができる。無線携帯端末１０におけるＣＰＵは、このインストールされた引率管理プログラムにしたがって処理を実行することにより、以下の各機能を実現する。また、無線携帯端末１０は、近距離無線モードにより、特定の信号を一定の範囲で常時受信することができる。
【００２１】
すなわち、この無線携帯端末１０は、図１に示すように、受信手段１１，信号判定手段１２，存否出力手段１３，個人情報出力手段１４，記憶手段１５を備えている。
受信手段１１は、無線ＩＣタグ２０から発信される信号を受信するものであり、無線携帯端末１０におけるアンテナ等により構成される。
【００２２】
信号判定手段１２は、受信した信号にもとづき記憶手段１５を検索して、当該信号に対応する個人情報を特定し、特定できた個人情報に係る旅行者は存在すると判定する。すなわち、信号が受信でき、かつ、受信した信号に対応する個人情報が、記憶手段１５に記憶されている場合には、当該信号に対応する個人情報に係る旅行者２が、引率者１の近辺に存在していると考えられる。このため、この旅行者２は、集団旅行の集合時であれば集合場所に集合していると判断でき、移動中であればはぐれていないと判断することができる。
【００２３】
また、信号判定手段１２は、記憶手段１５に記憶されており、かつ、特定できない個人情報に係る旅行者は存在しないと判定する。すなわち、引率者１の近辺に存在しない旅行者２が携帯する無線ＩＣタグ２０から発信された信号は、無線携帯端末１０に受信されない。このため、記憶手段１５に記憶されているが、当該信号にもとづく検索は行われず、個人情報の特定ができなかった旅行者２は、集団旅行の集合時であればまだ集合場所に集合していないと判断でき、移動中であればはぐれてしまったと判断することができる。
【００２４】
存否出力手段１３は、信号判定手段１２による判定結果を表示等することにより出力する。その具体的表示については、種々のものとすることができるが、例えば、近辺に存在する旅行者２と、存在しない旅行者２の人数を表示したり、全体の人数に対する存在する人数や存在しない人数を表示することなどができる。
【００２５】
個人情報出力手段１４は、近辺に存在しないと判定された旅行者２に係る個人情報を、記憶手段１５から抽出して表示等することより出力することができる。すなわち、個人情報出力手段１４は、信号判定手段１２によって、存在が確認できた旅行者２以外の個人情報を、表示等することができる。
これによって、引率者１は、まだ集合場所に集合していない旅行者２やはぐれてしまった旅行者２の名前や写真、連絡先等を参照して、その旅行者２の携帯電話などに連絡を取り、その所在を確認して、合流方法等についての指示を行うことができる。
勿論、個人情報出力手段１４により、存在する旅行者２の個人情報を出力させるようにすることもできる。このとき、無線携帯端末１０に名前等のキーを入力し、これにもとづき個人情報出力手段１４が、記憶手段１５を検索して個人情報を取得し、出力可能にすることができることは言うまでもない。
【００２６】
記憶手段１５は、旅行者２ごとの個人情報、及びこの個人情報に対応付けられた信号を記憶する。
この個人情報とは、例えば写真，名前，生年月日，住所，携帯連絡先，緊急連絡先等とすることができる。
【００２７】
また、この信号は、無線ＩＣタグ２０から発信されるものであり、旅行者２ごとに対応付けられるものである。予め旅行者２ごとに信号を割り振って、これを記憶手段１５に記憶させた後に、当該信号を無線ＩＣタグ２０に記憶させるようにしても、予め無線ＩＣタグ２０ごとに設定された信号を、旅行者２ごとに割り当てて、これを記憶手段１５に個人情報に対応させて記憶させるようにしてもかまわない。
さらに、記憶手段１５には、引率者１の指示入力などにもとづいて、随時又は所定のタイミングで実行される引率管理プログラムにより、各旅行者２が近辺に存在したかどうかの判定結果をフラグ等により個人情報対応付けて保有させることが好ましい。
【００２８】
無線ＩＣタグ２０は、旅行者２ごとの個人情報に割り当てた信号を記憶する。この信号の記憶は、旅行者２から個人情報の提出を受けた旅行会社３により行うようにすることができる。この無線ＩＣタグ２０は、例えば旅行者２の身分証明書等を兼ねたカード型の形状等とすることが好ましい。
【００２９】
旅行会社端末３０は、無線携帯端末１０用の引率管理プログラムを、インターネットなどを介して無線携帯端末１０に送信する場合などに用いられる。すなわち、旅行会社端末３０は、引率管理プログラムを記憶し、無線携帯端末１０からの要求に応じてこれを送信する。また、旅行者２の個人情報を無線携帯端末１０に保有させるのではなく、旅行会社端末３０に記憶させ、無線携帯端末１０からのアクセスに対して、認証実行後、旅行者２の電話番号などをキーとして当該旅行者２の個人情報を参照可能とすることもできる。
【００３０】
次に、本実施形態の引率管理システムを利用した業務手順の例について、図２を参照して説明する。同図は、本実施形態の引率管理システムを利用した業務手順を示す動作手順図である。
【００３１】
まず、旅行会社３は、予め引率者１に対して、引率管理プログラムを送付し、無線ＩＣタグ２０を用いて引率管理を行うことを指示しておく（ステップ１０）。引率者１は、無線携帯端末１０に引率管理プログラムをインストールしておく（ステップ１１）。
次に、旅行者２は、自己の個人情報を予め旅行会社３に提出する（ステップ１２）。旅行会社３は、旅行者２の個人情報を引率者１に送付する（ステップ１３）。
【００３２】
引率者１は、旅行会社３から受け取った旅行者２の個人情報を予め無線携帯端末１０における記憶手段１５に記憶させる（ステップ１４）。この無線携帯端末１０における旅行者２の個人情報の記憶については、無線携帯端末１０が旅行会社端末３０にアクセスして、個人情報を受信し、記憶するようにすることもできる。
【００３３】
旅行会社３は、無線ＩＣタグ２０を郵送などによって、旅行者２に事前に配布し（ステップ１５）、旅行者２はこれを受け取る（ステップ１６）。旅行者２は、受け取った無線ＩＣタグ２０を図１に示す例のごとく携帯し、旅行先へ出発し、その後到着する（ステップ１７）。
一方、旅行会社３は、出発状況及び到着予定情報等を確認の上、これを引率者１の無線携帯端末１０に送信する（ステップ１８）。
引率者１は、無線携帯端末１０により受信したこれらの情報にもとづいて、旅行者２の引率及び受入準備を行う（ステップ１９）。
【００３４】
次に、引率者１は、到着した旅行者２が全員いるかどうかを無線携帯端末１０により本発明の引率管理プログラムを実行することにより確認する（ステップ２０）。
このとき、上述したように、無線携帯端末１０は、旅行者２の無線ＩＣタグ２０から発信される信号を受信して、各信号に対応する個人情報を特定し、全員揃っているかどうかの判定結果を表示する。
【００３５】
全員揃っていれば（ステップ２１のＹｅｓ）、引率者１による引率が開始される（ステップ２４）。
全員が揃っていない場合には（ステップ２１のＮｏ）、引率者１は、無線携帯端末１０により不在の旅行者２の個人情報を参照する。そして、不在の旅行者２の携帯電話などに連絡を取り、所在を確認し、合流方法などについて指示を行う（ステップ２２）。不在の旅行者２は、引率者１からの連絡を受け、引率者１の指示に従って行動する（ステップ２３）。そして、引率が開始される（ステップ２４）。
【００３６】
次に、引率者１は、引率中にも、旅行者２の所在を、無線携帯端末１０を用いて常に確認する（ステップ２５）。
そして、はぐれた旅行者２に対しては、ステップ２２及びステップ２３と同様に、指示を与える。
引率が終了すると、引率者１は、引率が終了したことを旅行会社３に連絡する（ステップ２６）。また、旅行者２は、解散現地に到着すると、無線ＩＣタグ２０を旅行会社３に返却する（ステップ２７）。
一方、旅行会社３は、引率者１からの連絡を受けて、解散現地などで旅行者２の受け入れを行い、無線ＩＣタグ２０を回収する（ステップ２８）。
【００３７】
次に、本実施形態の引率管理システムにおける処理手順の例について、図３を参照して説明する。同図は、本実施形態の引率管理システムにおける処理手順を示す動作手順図である。なお、以下の処理手順は、図２に示すステップ１０〜ステップ１２の業務手順が既に実行された後に係るものである。
【００３８】
まず、旅行会社３における旅行会社端末３０は、旅行者２から提出された個人情報を予め記憶することにより登録する（ステップ１００）。
次に、旅行会社端末３０は、個人情報に対応する無線ＩＣタグ２０用の信号を作成し、これを個人情報に対応付けて記憶手段に記憶することにより登録する（ステップ１０１）。そして、無線ＩＣタグ２０は、この信号を記憶する（ステップ１０２）。勿論、無線ＩＣタグ２０に予め信号を記憶して、旅行会社端末３０が、この信号を個人情報に割り振り、対応付けて記憶手段に記憶させるようにすることもできる。
【００３９】
旅行会社端末３０は、登録した個人情報及び信号を無線携帯端末１０に送信する（ステップ１０３）。
無線携帯端末１０は、個人情報及び信号を受信すると、これらを記憶手段１５に記憶させることにより登録する（ステップ１０４）。
次に、無線携帯端末１０は、本発明の引率管理プログラムを実行することにより、無線ＩＣタグ２０からの信号を受信し、旅行者２の存否の判定を行う（ステップ１０５）。
【００４０】
すなわち、無線ＩＣタグ２０からの信号を受信すると、この信号をキーとして記憶手段１５を検索し、対応する個人情報を特定する。そして、特定できた信号に対応する旅行者２について、引率者１の近辺に存在すると判定する。
一方、記憶手段１５に個人情報が登録されている旅行者２であって、信号が受信できず、個人情報が特定できなかった旅行者２については、引率者１の近辺に存在しないと判定する。
そして、この判定結果を個人情報ごとに記憶手段１５に登録することができる。
【００４１】
さらに、無線携帯端末１０は、得られた判定結果をディスプレイに表示することなどにより出力する（ステップ１０６）。判定結果の出力形式については、種々の方法とすることができ、例えば全員揃っている場合には、その旨を表示することができる。また、揃っていない場合には、揃っていない旅行者２の人数などを表示することができる。
【００４２】
また、無線携帯端末１０は、記憶手段１５に登録されており、かつ、存在しないとの判定結果が対応付けられた個人情報にもとづきその名前や写真、連絡先等
を表示することもできる（ステップ１０７）。勿論、記憶手段１５に記憶されており、存在しているとの判定結果が対応付けられた個人情報を表示可能とすることもできる。
そして、引率が終了するまでステップ１０５〜ステップ１０７の動作を繰り返すことにより（ステップ１０８）、引率者１は、無線携帯端末１０の引率管理プログラムを適宜実行することで、集合時や移動時において、旅行者２が集合しているか、はぐれていないか等を常に確認することができる。
【００４３】
以上説明したように、本実施形態の引率管理システムによれば、引率者１は、無線携帯端末１０を用いて、無線ＩＣタグ２０を備えた旅行者２が近辺に存在するかどうかを常に確認することができるため、点呼などによる確認手間を省略することが可能となる。
また、集合していない旅行者２やはぐれてしまった旅行者２についての個人情報を、無線携帯端末１０に自動的に表示することができるため、容易に連絡を取って、所在の確認や合流方法の指示等を行うことも可能となる。
【００４４】
［第二実施形態］
次に、本発明の第二実施形態について、図４及び図５を参照して説明する。図４は、本実施形態の引率管理システムの構成を示すブロック図であり、図５は、同システムにおける処理手順を示す動作手順図である。
本実施形態は、無線携帯端末１０によって、旅行者２が引率者１の近辺に存在しないと判定された場合に、旅行者２の携帯電話などに自動的に電子メールを送信する点で、第一実施形態と異なる。その他の点については、第一実施形態と同様である。
【００４５】
まず、図４を参照すると、本実施形態の引率管理システムにおける無線携帯端末１０は、第一実施形態における構成に加えて、確認メール配信手段１６を備えている。
この確認メール配信手段１６は、信号判定手段１２による旅行者２の存否の判定が終了すると、記憶手段１５において、存在しないとの判定結果が対応付けられた個人情報が存在する場合に、その個人情報における携帯連絡先等に、当該個人情報に係る旅行者２が、引率者１から離れてしまっていることを示す確認メールを送信する。
【００４６】
さらに、図５を参照すると、旅行会社端末３０が個人情報を登録する動作から無線携帯端末１０が旅行者２の存否の判定を行うまでの動作（ステップ２００〜ステップ２０６）は、第一実施形態における動作と同様である。
次に、無線携帯端末１０は、引率者１の近辺に存在しないと判定された旅行者２の携帯電話などに、引率者１から離れていることを知らせる電子メール（確認メール）を自動的に送信する（ステップ２０７）。
すなわち、無線携帯端末１０は、信号判定手段１２によって、記憶手段１５から存在しないとの判定結果が対応付けられた個人情報を抽出し、その携帯連絡先などに、判定結果を通知するための予め記憶手段１５に格納してある確認メールを送信する。
そして、無線携帯端末１０は、この場合も第一実施形態と同様に適宜ステップ２０５〜ステップ２０７を繰り返すことができる（ステップ２０８）。
【００４７】
以上説明したように、本実施形態の引率管理システムによれば、無線携帯端末１０は、引率管理プログラムが実行されると、旅行者２が引率者１の近辺にいない場合には、自動的にその旅行者２の携帯電話などに、その旨を知らせる確認メールを送信する。
このため、集団が極めて多くの人数であるような場合であっても、揃っていない旅行者２に迅速に連絡を取ることが可能となる。
【００４８】
なお、本発明は以上の実施形態に限定されるものではなく、本発明の範囲内において、種々の変更実施が可能であることは言うまでもない。
例えば、無線携帯端末１０による旅行者２の存否等の出力をディスプレイに表示するのみならず、無線携帯端末１０におけるスピーカなどから音声により出力することが可能である。また、第一実施形態と第二実施形態とを組み合わせて、無線携帯端末１０に個人情報を表示させるとともに、はぐれた旅行者２などに対し自動的に確認メールの配信を可能として、より一層引率管理を容易化するなど適宜変更することが可能である。
【産業上の利用可能性】
【００４９】
本発明は、集団旅行の引率に好適に利用できるものである。また、目的が旅行でなくとも、移動を行う集団の引率に利用することができる。
【図面の簡単な説明】
【００５０】
【図１】本発明の第一実施形態の引率管理システムの構成を示すブロック図である。
【図２】本発明の第一実施形態の引率管理システムを利用した業務手順を示す動作手順図である。
【図３】本発明の第一実施形態の引率管理システムにおける処理手順を示す動作手順図である。
【図４】本発明の第二実施形態の引率管理システムの構成を示すブロック図である。
【図５】本発明の第二実施形態の引率管理システムにおける処理手順を示す動作手順図である。
【符号の説明】
【００５１】
１  引率者
２  旅行者
３  旅行会社
１０  無線携帯端末
１１  受信手段
１２  信号判定手段
１３  存否出力手段
１４  個人情報出力手段
１５  記憶手段
１６  確認メール配信手段
２０  無線ＩＣタグ
３０  旅行会社端末
【図１】
2006054787.tif 000003
【図２】
2006054787.tif 000004
【図３】
2006054787.tif 000005
【図４】
2006054787.tif 000006
【図５】
2006054787.tif 000007